(57)【要約】      （修正有）【課題】プラントの設備操作のノウハウや技術の抽出における手間を削減し、抽出漏れを減らすことができる情報処理装置、監視制御システム及びプログラムを提供する。【解決手段】データ記憶部１２４と、データ抽出部１２５と、画像生成部１１３とを備え、データ記憶部は、プラント２に設けられたセンサで得られる計測値とプラントに設けられた設備の稼動状態とを示す状態情報、及び、設備２１−１、２１−２、２１−Ｎに対する操作を含む制御情報を時系列に記憶する。データ抽出部は、指定された抽出条件に適合する状態情報と制御情報とをデータ記憶部から取得する。画像生成部は、データ抽出部により取得された状態情報に含まれる計測値及び稼動状態の時間変化を表すグラフに、データ抽出部により取得された制御情報に含まれる操作が行われたタイミングを示す表示を重ねた操作比較画像を生成する。【選択図】図１
2016162388.tif 000002
【特許請求の範囲】
【請求項１】
プラントに設けられたセンサで得られる計測値と前記プラントに設けられた設備の稼動状態とを示す状態情報、及び、前記設備に対する操作を含む制御情報を時系列に記憶するデータ記憶部と、
指定された抽出条件に適合する前記状態情報と前記制御情報とを前記データ記憶部から取得するデータ抽出部と、
前記データ抽出部により取得された前記状態情報に含まれる計測値及び稼動状態の時間変化を表すグラフに、前記データ抽出部により取得された前記制御情報に含まれる操作が行われたタイミングを示す表示を重ねた操作比較画像を生成する画像生成部と
を備える情報処理装置。
【請求項２】
前記抽出条件には、複数の期間又は複数の日時を示す条件が含まれ、
前記画像生成部は、異なる期間又は異なる日における計測値及び稼動状態の時間変化を表すグラフ及び操作が行われたタイミングを示す表示それぞれを重ねた操作比較画像を生成する、
請求項１に記載の情報処理装置。
【請求項３】
前記制御情報は、操作を行った操作員を示す識別情報を含み、
前記画像生成部は、操作比較画像における前記表示が選択されると、当該表示に対応する前記設備に対する操作と前記識別情報とを示す文字列を含む操作比較画像を新たに生成する、
請求項１又は請求項２のいずれか一項に記載の情報処理装置。
【請求項４】
前記抽出条件には、平日又は休日のいずれであるかを示す条件、天候を示す条件又は気温を示す条件が含まれる、
請求項１から請求項３のいずれか一項に記載の情報処理装置。
【請求項５】
プラントに設けられたセンサで得られる計測値と前記プラントに設けられた設備の稼動状態とを示す状態情報、及び、前記設備に対する操作と当該操作を行った操作員を識別する識別情報とを含む制御情報を時系列に記憶するデータ記憶部と、
指定された抽出条件に適合する前記状態情報と前記制御情報とを前記データ記憶部から取得するデータ抽出部と、
前記データ抽出部により取得された前記状態情報に含まれる計測値及び稼動状態の時間変化を表すグラフに、前記データ抽出部により取得された前記制御情報に含まれる操作が行われたタイミングを示す表示を重ねた操作比較画像を生成する画像生成部と、
前記操作比較画像を表示する表示部と
を備える監視制御システム。
【請求項６】
プラントに設けられたセンサで得られる計測値と前記プラントに設けられた設備の稼動状態とを示す状態情報、及び、前記設備に対する操作と当該操作を行った操作員を識別する識別情報とを含む制御情報を時系列に記憶するデータ記憶部から、指定された抽出条件に適合する前記状態情報と前記制御情報とを取得するデータ抽出ステップと、
前記データ抽出ステップにおいて取得された前記状態情報に含まれる計測値及び稼動状態の時間変化を表すグラフに、前記データ抽出ステップにおいて取得された前記制御情報に含まれる操作が行われたタイミングを示す表示を重ねた操作比較画像を生成する画像生成ステップと
をコンピュータに実行させるためのプログラム。
【発明の詳細な説明】
【技術分野】
【０００１】
本発明の実施形態は、情報処理装置、監視制御システム及びプログラムに関する。
【背景技術】
【０００２】
上下水道に用いられる水処理設備などのプラントの運転には、長年の経験において蓄積されたノウハウや技術が必要とされている。水処理設備の操作員の世代交代などによる熟練度の高い操作員から熟練度の低い操作員への交代において、蓄積されたノウハウや技術の継承を円滑に進める必要がある。
【０００３】
これに対して、水処理設備を提供しているメーカと水処理設備を管理運営している操作員とが文書化されたノウハウや技術を、水処理設備の制御装置に実装することなどが検討又は実施されている。しかし、操作のノウハウや技術を形式化する過程では、操作員が日常的にやり取りしている情報や操作員が日常的に行っている操作を整理した上で何らかの形で表現したり、操作員に対する聞き取り調査を通じてまとめたりするには、時間と労力とが掛かったり、抽出漏れが生じたりする場合があった。
【先行技術文献】
【特許文献】
【０００４】
【特許文献１】国際公開第２０１０／１２２６２７号
【発明の概要】
【発明が解決しようとする課題】
【０００５】
本発明が解決しようとする課題は、プラントの設備操作のノウハウや技術の抽出における手間を削減し、抽出漏れを減らすことができる情報処理装置、監視制御システム及びプログラムを提供することである。
【課題を解決するための手段】
【０００６】
実施形態の情報処理装置は、データ記憶部と、データ抽出部と、画像生成部とを持つ。データ記憶部は、プラントに設けられたセンサで得られる計測値とプラントに設けられた設備の稼動状態とを示す状態情報、及び、設備に対する操作を含む制御情報を時系列に記憶する。データ抽出部は、指定された抽出条件に適合する状態情報と制御情報とをデータ記憶部から取得する。画像生成部は、データ抽出部により取得された状態情報に含まれる計測値及び稼動状態の時間変化を表すグラフに、データ抽出部により取得された制御情報に含まれる操作が行われたタイミングを示す表示を重ねた操作比較画像を生成する。
【図面の簡単な説明】
【０００７】
【図１】本実施形態における監視制御システムの構成例を示すブロック図。
【図２】監視制御システムにおける履歴情報の比較表示処理を示すフローチャート。
【図３】監視制御システムにおける抽出条件の設定と抽出結果の表示及び選択とを行う抽出画面の一例を示す図。
【図４】操作比較画像の一例を示す図。
【図５】操作比較画像の異なる一例を示す図。
【発明を実施するための形態】
【０００８】
以下、実施形態の情報処理装置、監視制御システム及びプログラムを、図面を参照して説明する。図１は、本実施形態における監視制御システム１の構成例を示すブロック図である。同図に示すように、監視制御システム１は、プラント２に備えられる様々な設備２１−１〜２１−Ｎとネットワーク３を介して通信可能に接続されている。プラント２に備えられている設備２１−１〜２１−Ｎは、例えばプラント２が水処理設備である場合、ポンプ、濾過機、調整弁、種々のセンサなどである。以下の説明では、プラント２が水処理設備である場合について説明するが、プラント２は水処理設備以外であってもよい。
【０００９】
監視制御システム１は、一つ又は複数の端末装置１１と制御サーバ１２とを備える。端末装置１１と制御サーバ１２とは、通信可能に接続されているとともに、プラント２に備えられている設備２１−１〜２１−Ｎとネットワーク３を介して通信可能に接続されている。
【００１０】
端末装置１１は、プラント２を運転する操作員による操作を受け付け、受け付けた操作に応じた制御情報を制御サーバ１２へ送信する。制御サーバ１２は、端末装置１１から受信した制御情報に基づいて、設備２１−１〜２１−Ｎに対する制御指令を生成する。制御サーバ１２は、生成した制御指令を設備２１−１〜２１−Ｎへ送信して、設備２１−１〜２１−Ｎを制御する。また、制御サーバ１２は、状態情報を受信し、受信した状態情報を端末装置１１へ送信する。端末装置１１は、受信した状態情報を操作員に対して出力する。操作員は、出力された状態情報に基づいて、制御情報を端末装置１１に与える。ここで、状態情報は、設備２１−１〜２１−Ｎに含まれるセンサで取得された計測値（プロセス値）と、設備２１−１〜２１−Ｎの稼動状態を示す情報とを含む情報である。また、状態情報は、プロセス値以外に、プラント２における天候、気温、降水量、風向、風速などの示す気象条件を含んでもよい。センサで取得できない情報については、配信されている情報を制御サーバ１２が取得するようにしてもよい。制御情報及び制御指令は、設備２１−１〜２１−Ｎに対する運転の開始又は停止、動作量の指示を含む情報である。
【００１１】
端末装置１１は、図１に示すように、操作部１１１、表示部１１２、画像生成部１１３及び通信部１１４を備える。操作部１１１は、操作員の操作を受け付け、操作に応じた制御情報を出力する。制御情報には、設備２１−１〜２１−Ｎに対する操作と、操作を行った操作員を一意に識別する識別情報が含まれる。操作部１１１は、例えばキーボードやマウス、タッチパネルなどの入力デバイスである。表示部１１２は、プラント２における状態を表示する。操作員は、表示部１１２に表示される画像を視認することにより、プラント２における状態を把握する。表示部１１２は、例えば液晶ディスプレイなどである。
【００１２】
画像生成部１１３は、プラント２における状態を示す状態画像を生成し、生成した状態画像を表示部１１２へ出力する。表示部１１２は、画像生成部１１３から出力される状態画像を表示することにより、プラント２における状態を表示する。画像生成部１１３は、通信部１１４を介して、状態情報を制御サーバ１２から受信する。画像生成部１１３は、受信した状態情報に基づいて状態画像を生成する。
【００１３】
また、画像生成部１１３は、制御サーバ１２から受信する履歴情報に基づいて、操作比較画像を生成する。画像生成部１１３は、生成した操作比較画像を表示部１１２へ出力する。ここで、履歴情報は、所定の期間におけるプロセス値や、当該期間において操作員が行った設備２１−１〜２１−Ｎに対する操作及び稼動状態などを含む情報である。操作比較画像は、操作員が指定した条件により抽出された一つ又は複数の履歴情報を、操作員が視認できるように構成された画像である。表示部１１２は、画像生成部１１３から出力される操作比較画像を表示する。操作員は、表示部１１２に表示される操作比較画像を視認することにより、履歴情報の確認や複数の履歴情報の比較を行う。
【００１４】
通信部１１４は、操作部１１１から出力される制御情報を制御サーバ１２へ送信する。また、通信部１１４は、制御サーバ１２から状態情報や履歴情報を受信し、受信した状態情報や履歴情報を画像生成部１１３へ出力する。
【００１５】
制御サーバ１２は、設備制御部１２１、通信部１２２、データ蓄積部１２３、データ記憶部１２４及びデータ抽出部１２５を備える。設備制御部１２１は、通信部１２２を介して、端末装置１１から受信する制御情報に基づいて、設備２１−１〜２１−Ｎに対する制御指令を生成する。設備制御部１２１は、通信部１２２を介して、生成した制御指令をプラント２に備えられた設備２１−１〜２１−Ｎへ送信する。設備制御部１２１は、通信部１２２を介して、設備２１−１〜２１−Ｎにより取得された状態情報を受信する。設備制御部１２１は、通信部１２２を介して、受信した状態情報を端末装置１１へ送信する。
【００１６】
設備制御部１２１は、受信した状態情報に基づいて、プラント２において異常が生じているか否かを判定する。異常が生じているか否かの判定は、状態情報に含まれる各プロセス値に対して予め定められたしきい値と各プロセス値とを比較することにより行われる。例えば、ポンプ井の水位を示すプロセス値に対して定められた水位範囲とポンプ井の水位とを比較し、水位範囲にポンプ井の水位が含まれていない場合、設備制御部１２１は異常が発生していると判定する。設備制御部１２１は、異常が発生していると判定すると、異常の内容を示す情報を含む警報情報を生成する。設備制御部１２１は、通信部１２２を介して、生成した警報情報を端末装置１１へ送信する。
【００１７】
通信部１２２は、端末装置１１から受信する制御情報を、設備制御部１２１へ出力する。通信部１２２は、設備制御部１２１から出力される制御指令を設備２１−１〜２１−Ｎへ送信する。通信部１２２は、設備２１−１〜２１−Ｎから受信する状態情報を、設備制御部１２１へ出力するとともに端末装置１１へ送信する。通信部１２２は、設備制御部１２１から出力される警報情報を端末装置１１へ送信する。
【００１８】
データ蓄積部１２３は、通信部１２２から設備制御部１２１へ出力される制御情報及び状態情報に対して、設備制御部１２１へ出力された日時及び時刻を示す時刻情報を対応付けて、データ記憶部１２４に記憶させる。また、データ蓄積部１２３は、設備制御部１２１から通信部１２２へ出力される警報情報に対して、設備制御部１２１から出力された時刻を示す時刻情報を対応付けて、データ記憶部１２４に記憶させる。
【００１９】
データ記憶部１２４は、時刻情報に対応付けられた、制御情報、状態情報及び警報情報を記憶する。データ記憶部１２４には、時系列の制御情報、状態情報及び警報情報が記憶されることになる。
【００２０】
データ抽出部１２５は、通信部１２２介して、端末装置１１から抽出条件を受信する。ここで、抽出条件は、データ記憶部１２４に記憶されている制御情報、状態情報及び警報情報から、操作員が確認又は比較したい期間における制御情報、状態情報及び警報情報を含む履歴情報を抽出する際に用いる条件である。抽出条件は、端末装置１１において、ユーザが操作部１１１を操作することにより定められる。データ抽出部１２５は、通信部１２２を介して、データ記憶部１２４から抽出した履歴情報を端末装置１１へ送信する。
【００２１】
図２は、本実施形態の監視制御システム１における履歴情報の比較表示処理を示すフローチャートである。監視制御システム１で比較表示処理が開始されると、端末装置１１において、操作部１１１は、ユーザの操作を受け付けて抽出条件を取得し、取得した抽出条件をデータ抽出部１２５へ送信する（ステップＳ１０１）。
【００２２】
制御サーバ１２において、データ抽出部１２５は、端末装置１１から受信した抽出条件に基づいて、データ記憶部１２４に記憶されている制御情報、状態情報及び警報情報を抽出し、抽出した制御情報、状態情報及び警報情報を含む履歴情報を抽出結果として端末装置１１へ送信する（ステップＳ１０２）。
【００２３】
端末装置１１において、画像生成部１１３は、制御サーバ１２から受信した抽出結果に基づいて、抽出結果を表示する画面を生成して表示部１１２へ出力する（ステップＳ１０３）。操作部１１１は、表示部１１２に表示された抽出結果としての履歴情報のうち操作員が選択する履歴情報を入力し、選択された履歴情報を示す情報を画像生成部１１３へ出力する（ステップＳ１０４）。
【００２４】
画像生成部１１３は、制御サーバ１２から受信した抽出結果に含まれる履歴情報のうち、操作員により選択された履歴情報に含まれる制御情報、状態情報及び警報情報に基づいて、操作比較画像を生成する（ステップＳ１０５）。画像生成部１１３は、生成した操作比較画像を表示部１１２へ出力して表示部１１２に表示させ（ステップＳ１０６）、比較表示処理を終了させる。
【００２５】
図３は、本実施形態の監視制御システム１における抽出条件の設定と抽出結果の表示及び選択とを行う抽出画面の一例を示す図である。同図に示すように、抽出画面における抽出条件には、「プロセス／オペレーショングループ」を示す条件と、絞り込み条件としての「平日／休日等」、「天候」、「気温」及び「プロセス傾向」を示す条件とが含まれる。
【００２６】
「プロセス／オペレーショングループ」では、プロセス値や、設備２１−１〜２１−Ｎに対する操作と稼動状態などの複数の予め設定された組み合わせから、いずれか一つ又は複数の組み合わせが抽出の条件として選択される。例えば、「プロセス／オペレーショングループ」における選択肢の一つである「グループＡ」は、雨水ポンプの稼動状態、雨水ポンプに対する制御情報、雨水ポンプの吐出量、雨水ポンプ井の水位、排水先及びゲートオペレーションを含むプロセス値と稼動状態の組み合わせとして定められる。「プロセス／オペレーショングループ」として予め設定される組み合わせは、プラント２の管理運営において操作員が設備２１に対する操作を行う際に視認する一つ又は複数のプロセス値と当該設備２１に対する操作との組み合わせを用いてもよい。
【００２７】
なお、「プロセス／オペレーショングループ」の選択肢としてのグループが設定される際に、端末装置１１又は制御サーバ１２は、グループの設定を支援する機能を有していてもよい。例えば、プロセス値としてポンプ井水位が選択されたときに、端末装置１１又は制御サーバ１２は、ポンプ井水位に関連する設備２１や関連するプロセス値を抽出し、抽出した設備２１及びプロセス値をポンプ井水位に組み合わせたものをグループとして設定する。端末装置１１又は制御サーバ１２は、選択されたプロセス値が表示されているプラントフロー画面をキー画面とし、その画面中に含まれるプロセス値や設備２１を、選択されたプロセス値との組み合わせ対象として抽出する。
【００２８】
「平日／休日等」では、「平日」、「休日」又は「指定しない」などのいずれか一つが抽出条件として選択される。「天候」では、「晴れ」、「曇り」、「雨」又は「指定しない」などのいずれか一つ又は複数が抽出条件として選択される。「気温」では、任意の気温範囲、例えば「摂氏２５度以上」、「摂氏１０度以上摂氏２０度以下」などが抽出条件として指定される。
【００２９】
「プロセス傾向」では、例えば「警報発報日」、「条件設定」又は「原単位設定」のいずれか一つが選択される。「警報発報日」は、「プロセス／オペレーショングループ」において選択されたグループに含まれるプロセス値や設備２１において異常が検出された日を抽出条件とする。
【００３０】
「条件設定」では、「プロセス／オペレーショングループ」において選択されたグループに含まれるプロセス値や設備２１に対して任意の条件が設定できる。この任意の条件は、例えば「”ポンプ井水位”が”ＡＡ時”から”ＢＢ時”まで”ＣＣ””以下”である」という条件である。任意の条件において、引用符（”）で示した部分（ポンプ井水位、ＡＡ時、ＢＢ時、ＣＣ、以下）が選択可能である。
【００３１】
「原単位設定」では、指定した原単位による条件が設定できる。例えば「エネルギー原単位が”ＤＤ”、”以下”である」という条件である。エネルギー原単位として”消費電力”と”放流水量”とのいずれ一方又は両方が選択可能である。
【００３２】
端末装置１１では、表示部１１２に表示された抽出画面において、ユーザが操作部１１１を操作して、各条件が設定される。各条件が設定された後に「実行」ボタンがクリックされると、設定された各条件を含む抽出条件が制御サーバ１２へ送信される。制御サーバ１２では、データ抽出部１２５が、通信部１２２を介して抽出条件を受信すると、抽出条件に適合する制御情報、状態情報及び警報情報を日付ごとに抽出する。データ抽出部１２５は、抽出した制御情報、状態情報及び警報情報を含む履歴情報を抽出結果として端末装置１１へ送信する。
【００３３】
画像生成部１１３は、通信部１１４を介して抽出結果を受信すると、日付ごとに日付及び制御情報に含まれる識別情報を示す文字列を抽出の結果として加えた画面を抽出画面として新たに生成する。図３に示す例では、「プロセス／オペレーショングループ」にグループＡが設定され、「平日／休日等」に平日が設定され、「天候」に晴れが設定され、「気温」に条件が設定されず、「プロセス傾向」に警報発報日が設定された場合における抽出の結果として「××月△△日：操作員Ａ」と「××月××日：操作員Ａ、操作員Ｂ」と「○×月××日：操作員Ｃ、操作員Ｄ」とが表示されている。
【００３４】
抽出画面において、表示された抽出の結果には選択の要否を示すチェックボックスが設けられており、抽出結果に含まれる履歴情報のうち選択された履歴情報が操作比較画像を生成する際に用いられる。チェックボックスを用いた選択の後に「表示」ボタンがクリックされると、選択された履歴情報を用いた操作比較画像が画像生成部１１３により生成される。
【００３５】
図４は、本実施形態における操作比較画像の一例を示す図である。同図において、横軸は時間を示し、縦軸は各プロセス値及び稼動状態を示す。同図には、抽出結果に含まれる複数の履歴情報のうち一つの履歴情報が選択された場合における操作比較画像の例が示されている。同図には、雨水ポンプの稼動状態（実線）、雨水ポンプ吐出量（破線）、ポンプ井水位（一点鎖線）及び△△水位（二点鎖線）の時間変化がトレンドグラフとして表されている。また、トレンドグラフ上には、操作員が設備２１−１〜２１−Ｎに対して行った操作を表す操作ラインが、当該操作が行われた時刻（タイミング）に縦方向のラインとして表示される。操作ラインにマウスポインタ等のカーソルが合わせられると、操作ラインが表す操作の内訳が表示される。操作ライン及び操作の内訳は、履歴情報に含まれる制御情報に基づいて生成される。なお、操作が行われた時刻（タイミング）を表示するためにライン以外の図形やマークが用いられてもよい。
【００３６】
操作ラインのうちのいずれかを選択する操作を操作部１１１が受け付けると、画像生成部１１３は、選択された操作ラインに対応する制御情報に基づいて、当該操作の内訳を示す文字列を加えた操作比較画像を新たに生成する。表示部１１２は、画像生成部１１３により新たに生成された操作比較画像を表示する。図４に示す例では、３本の操作ラインのうち最も早い時刻の操作ラインにマウスポインタが合わせられたことにより、操作ラインが表す操作の内訳「××月××日ＨＨ時ＭＭ分、操作員Ａ、雨水ポンプ運転操作」が表示されている。図４に示す例では、この操作の後に、雨水ポンプの稼動状態を示す実線が動作状態を示すレベルに上昇している。なお、図４では、異なるプロセス値及び稼動状態を線種で区別しているが、色や太さで区別できるように表示してもよい。
【００３７】
図５は、本実施形態における操作比較画像の異なる一例を示す図である。同図において、横軸は時間を示し、縦軸は各プロセス値及び稼動状態を示す。同図には、抽出結果に含まれる複数の履歴情報のうち二つの履歴情報が選択された場合における操作比較画像の例が示されている。同図には、図４と同様に、雨水ポンプの稼動状態（実線）、雨水ポンプ吐出量（破線）、ポンプ井水位（一点鎖線）及び△△水位（二点鎖線）の時間変化がトレンドグラフとして表されている。なお、図５においては、二つの履歴情報が区別できるように、それぞれのトレンドグラフを表す各線の太さを異なる太さにしている。「○×月××日ＨＨ時ＭＭ分」に対応するグラフは、「××月××日ＨＨ時ＭＭ分」に対応するグラフより太い線を用いて表示されている。図４及び図５では、異なる履歴情報のトレンドグラフを線の太さで区別しているが、色や線種で区別できるように表示してもよい。
【００３８】
図５に示す操作比較画面では、抽出条件で絞り込むことにより、ポンプ井水位及び△△水位が類似した状態における履歴情報を比較表示することができる。これにより、雨水ポンプを運転開始させるタイミングの違いが、ポンプ井水位及び△△水位の変化にどのように影響したかを操作員は容易に把握することができる。
【００３９】
なお、上述の実施形態においては、「プロセス／オペレーショングループ」で選択されたプロセス値及び稼動状態を「平日／休日等」と「天候」と「気温」と「プロセス傾向」との絞り込み条件を用いた抽出により履歴情報を取得する構成について説明した。しかし、絞り込み条件には、前述した平日／休日等」と「天候」と「気温」と「プロセス傾向」と以外に、複数の日付を指定した条件や、天候に降水量を組み合わせた条件などを含めるようにしてもよい。例えば、天候と降水量とを組み合わせた条件を絞り込み条件に含めることのより、類似した気象条件における設備２１−１〜２１−Ｎの操作やプロセス値の変化を比較することが容易に比較することができる。
【００４０】
また、上述の実施形態においては、端末装置１１と制御サーバ１２とがそれぞれ動作することにより、比較表示処理を行う構成について説明した。しかし、制御サーバ１２に備えられたデータ記憶部１２４及びデータ抽出部１２５を端末装置１１が備え、端末装置１１が単体で比較表示処理を行う情報処理装置として構成されてもよい。また、端末装置１１に備えられた操作部１１１、表示部１１２及び画像生成部を制御サーバ１２が備え、制御サーバ１２が比較表示処理を行う情報処理装置として構成されてもよい。
【００４１】
以上説明したように、本実施形態の監視制御システム１によれば、データ記憶部１２４に記憶されている、プラントの設備操作のノウハウや技術を形式化するためのヒントとなる情報を、「プロセス／オペレーショングループ」と絞り込み条件とを含む抽出条件で抽出することにより、ノウハウや技術の抽出における手間を削減することができる。また、プラント２の管理運営において用いられた情報を記憶しているデータ記憶部１２４に記憶されている制御情報、状態情報及び警報情報を抽出の対象とすることにより、抽出漏れを減らすことが可能となる。
【００４２】
また、データ抽出部１２５により抽出された状態情報に含まれるプロセス値の時間変化を表すグラフに、制御情報で示される操作が行われたタイミングを示すラインを重ねた操作比較画は、設備２１−１〜２１−Ｎに対する操作とプロセス値との相関関係を把握することを容易にし、ノウハウや技術を形式化するためのヒントを得る手間が削減される。
【００４３】
また、複数の履歴情報が抽出された場合に、履歴情報それぞれにおける操作に対して当該操作を行った操作員を示す識別情報が表示されるので、操作員ごとの操作傾向を比較して把握することが容易になり、熟練度の高い操作員と熟練度の低い操作員との比較が容易になる。
【００４４】
また、抽出条件に「警報発報日」を設けたことにより、プラントの設備操作において注意すべき操作を積極的に抽出することができ、より適切な設備操作の検討に活用することができる。
【００４５】
また、抽出条件に「条件設定」を設けたことにより、指定したプロセス値が所定の範囲にある場合における履歴情報を抽出して比較することが容易になり、抽出した履歴情報における操作員の操作傾向を把握することが容易になり、ノウハウや技術の抽出における手間を削減することができる。また、指定したプロセス値の一定期間における時間変化が類似する履歴情報を抽出条件に加えてもよい。これにより、プロセス値の変化傾向が類似する期間において、異なる操作員の操作傾向を比較して、ノウハウや技術の抽出における手間を削減することができる。
【００４６】
また、抽出条件に「原単位設定」を設けたことにより、特定条件下におけるプラントの設備操作を抽出することができ、より適切な設備操作の検討に活用することができる。
【００４７】
また、端末装置１１において、画像生成部１１３が生成した操作比較画像を表示部１１２に表示するだけでなく、操作比較画像を他の装置へ送信したり、操作比較画像を記憶媒体又は記憶領域に記憶したりしてもよい。また、端末装置１１、制御サーバ１２又は他の装置において、操作比較画像を印刷してもよい。
【００４８】
また、上記の実施形態における端末装置１１又は制御サーバ１２は、コンピュータ装置を基本ハードウェアとして用いることで実現されるようにしてもよい。この場合、端末装置１１又は制御サーバ１２が備える画像生成部１１３、通信部１１４及び１２２、設備制御部１２１、データ蓄積部１２３、データ記憶部１２４、データ抽出部１２５それぞれは、コンピュータ装置に搭載されたプロセッサにプログラムを実行させることにより実現することができる。このとき、端末装置１１又は制御サーバ１２は、上記のプログラムをコンピュータ装置に予めインストールすることで実現してもよい。或いは、ＣＤ−ＲＯＭなどの記憶媒体に記憶された上記のプログラム、又はネットワークを介して頒布される上記のプログラムを、コンピュータ装置に適宜インストールすることで実現してもよい。
【００４９】
以上説明した少なくともひとつの実施形態によれば、所定の条件により抽出された、プラントにおける状態を示す状態情報とプラントに設けられた設備に対する操作を含む制御情報から、状態情報に含まれるプロセス値及び設備の稼動状態の時間変化を表すグラフに、設備に対する操作が行われたタイミングを示すラインを重ねた操作比較画像を生成する画像生成部を持つことにより、プラントの設備操作のノウハウや技術の抽出における手間を削減し、抽出漏れを減らすことができる。
【００５０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５１】
１…監視制御システム、２…プラント、３…ネットワーク、１１…端末装置、１２…制御サーバ、２１，２１−１，２１−２，２１−Ｎ…設備、１１１…操作部、１１２…表示部、１１３…画像生成部、１１４…通信部、１２１…設備制御部、１２２…通信部、１２３…データ蓄積部、１２４…データ記憶部、１２５…データ抽出部
【図１】
2016162388.tif 000003
【図２】
2016162388.tif 000004
【図３】
2016162388.tif 000005
【図４】
2016162388.tif 000006
【図５】
2016162388.tif 000007